(57)【要約】【課題】  直列接続された二次電池セル間の中点端子に負荷が接続された場合、過放電の設定電圧まで放電を禁止することが出来なかった。また、中点端子に電源が供給された場合、過充電の設定電圧まで充電を禁止することが出来なかった。【解決手段】  直列に接続された複数の二次電池セルを有し、前記複数の二次電池セルの少なくとも１つの二次電池セル間の接続部に接続される、少なくとも１つの中点端子を有するバッテリーパックであって、前記接続部と前記中点端子の間に接続される少なくとも１つのスイッチを有することを特徴とする。【選択図】  図１
2010055886.tif 000002
【特許請求の範囲】
【請求項１】
直列に接続された複数の二次電池セルを有し、前記複数の二次電池セルの少なくとも１つの二次電池セル間の接続部に接続される、少なくとも１つの中点端子を有するバッテリーパックであって、
前記接続部と前記中点端子の間に接続される少なくとも１つのスイッチを有することを特徴とするバッテリーパック。
【請求項２】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、
前記バッテリーパックの内部温度を測定する温度検出素子と、
前記温度検出素子が接続される温度端子と、
前記接続部と前記中点端子の間に接続される少なくとも１つのスイッチと、
前記充電装置または前記電子機器が前記温度端子に電圧を供給したときに、前記スイッチを制御して前記接続部と前記中点端子を導通させる制御部とを有することを特徴とするバッテリーパック。
【請求項３】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、
前記バッテリーパックの内部温度を測定する温度検出素子と、
前記温度検出素子が接続される温度端子と、
前記接続部と前記中点端子の間に接続される少なくとも１つの内部入力スイッチと、
前記充電装置または前記電子機器が前記温度端子に電圧を供給したときに、前記スイッチを制御して前記接続部と前記中点端子を導通させる外部入力スイッチとを有することを特徴とするバッテリーパック。
【請求項４】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、
前記充電装置または前記電子機器に接続される入力端子と、
前記接続部と前記中点端子の間に接続される少なくとも１つの内部入力スイッチと、
前記充電装置または前記電子機器が前記入力端子に電圧を供給したときに、前記内部入力スイッチを制御して前記接続部と前記中点端子を導通させる外部入力スイッチとを有することを特徴とするバッテリーパック。
【請求項５】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、
前記充電装置または前記電子機器に接続される入力端子と、
前記電子機器が前記入力端子の電圧を低下したときに、前記接続部と前記中点端子を導通させるスイッチとを有することを特徴とするバッテリーパック。
【発明の詳細な説明】
【技術分野】
【０００１】
本発明は、直列に接続された複数のセルを内蔵し、セル間の接続部を出力する出力端子（以降、中点端子と記す）を有するバッテリーパックに関する発明である。
【背景技術】
【０００２】
従来、バッテリーパックがバッテリーの端子電圧または充放電電流を検出する回路と保護回路を備えることが知られている。また、バッテリーパック制御装置がバッテリーパックの制御端子からバッテリーに内蔵する端子電圧または充放電電流を検出する回路を検出し、バッテリーパック内の過放電スイッチを動作させることが知られている。（特許文献１参照）
【特許文献１】特開平９−１７４５５号公報
【発明の開示】
【発明が解決しようとする課題】
【０００３】
一般に、複数個直列接続された二次電池セルの過放電を保護する場合、二次電池セル毎に過放電保護を設ける方法、多直用の過放電保護回路を用いる方法が採用されてきた。
【０００４】
上記の従来の方法では、二次電池セルの電圧が予め設定された電圧（過放電設定電圧）を下回った場合に放電を禁止していた。
【０００５】
しかしながら、上記の従来の方法では、直列接続された二次電池セル間の中点端子に負荷が接続された場合、過放電の設定電圧まで放電を禁止することが出来なかった。
【０００６】
また、中点端子に電源が供給された場合、過充電の設定電圧まで充電を禁止することが出来なかった。
【０００７】
そのため、セル間の電位差を生じてしまっていた。
【課題を解決するための手段】
【０００８】
直列に接続された複数の二次電池セルを有し、前記複数の二次電池セルの少なくとも１つの二次電池セル間の接続部に接続される、少なくとも１つの中点端子を有するバッテリーパックであって、前記接続部と前記中点端子の間に接続される少なくとも１つのスイッチを有することを特徴とする。
【０００９】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、前記バッテリーパックの内部温度を測定する温度検出素子と、前記温度検出素子が接続される温度端子と、前記接続部と前記中点端子の間に接続される少なくとも１つのスイッチと、前記充電装置または前記電子機器が前記温度端子に電圧を供給したときに、前記スイッチを制御して前記接続部と前記中点端子を導通させる制御部とを有することを特徴とする。
【００１０】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、前記バッテリーパックの内部温度を測定する温度検出素子と、前記温度検出素子が接続される温度端子と、前記接続部と前記中点端子の間に接続される少なくとも１つの内部入力スイッチと、前記充電装置または前記電子機器が前記温度端子に電圧を供給したときに、前記スイッチを制御して前記接続部と前記中点端子を導通させる外部入力スイッチとを有することを特徴とする。
【００１１】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、前記充電装置または前記電子機器に接続される入力端子と、前記接続部と前記中点端子の間に接続される少なくとも１つの内部入力スイッチと、前記充電装置または前記電子機器が前記入力端子に電圧を供給したときに、前記内部入力スイッチを制御して前記接続部と前記中点端子を導通させる外部入力スイッチとを有することを特徴とする。
【００１２】
充電装置または電子機器に接続され、直列に接続された複数の二次電池セルを有し、前記複数の二次電池セルの少なくとも１つの二次電池セル間の接続部に接続される、少なくとも１つの中点端子を有するバッテリーパックであって、前記充電装置または前記電子機器に接続される入力端子と、前記電子機器が前記入力端子の電圧を低下したときに、前記接続部と前記中点端子を導通させるスイッチとを有することを特徴とする。
【発明の効果】
【００１３】
バッテリーパックの中点端子に負荷または電源が接続されても、セル間の電位差の発生を防止することが可能になる。
【発明を実施するための最良の形態】
【００１４】
以下、本発明を実施するための最良の形態を図面に基づいて説明する。
【００１５】
図１は、本発明の第１、第２、第３の実施の形態に係る充電装置の外観図である。
【００１６】
図１に示した充電装置６は、中点端子付きのバッテリーパックを充電する充電装置である。
【００１７】
バッテリーパック１は、＋端子（＋）２、中点端子（Ｃ）３、温度端子（Ｔ）４、−端子（−）５を有している。
【００１８】
充電装置６は、バッテリーパック１の各端子に対応する端子として、＋端子（＋）７、中点端子（Ｃ）８、温度端子（Ｔ）９、−端子（−）１０を有している。
【００１９】
バッテリーパック１は、２つの二次電池セル（以下、セルと省略する。）が直列接続されている。
【００２０】
中点端子（Ｃ）３と中点端子（Ｃ）８は、バッテリーパック１のセル間の中点電圧を出力する出力端子として機能する。
【００２１】
また、温度端子（Ｔ）４と温度端子（Ｔ）９は、バッテリーパック１の温度を出力する出力端子として機能する。
【００２２】
これら対応する各端子は、バッテリーパック１を充電装置６の装着部１１に装着することにより、互いに接続される。
【００２３】
充電装置６が充電を行うための電力は、ＡＣコード１２、ＡＣプラグ１３を介して家庭用交流電源（ＡＣ電源）から供給することができる。
【００２４】
バッテリーパック１が充電装置６に装着されると、充電装置６は、バッテリーパック１の充電を開始する。
【００２５】
充電装置６にバッテリーパック１が接続されているかどうかは温度端子９にサーミスタ１３５が接続されているかどうかによって判別している。
【００２６】
このサーミスタ１３５は、バッテリーパック１の温度端子４と−端子５との間に接続され、後述するように、バッテリーパック１の温度検出素子として機能する（図２、図１１、図１２参照）。
【００２７】
充電中のバッテリーパック１の電圧（充電電圧）は、充電装置６に内蔵された充電制御マイコン１１５、２０７又は３０１（図２、図１１、図１２参照）により検出される。
【００２８】
また、バッテリーパック１の中点端子３からは、直列接続された２つのセル１４１、１４２（図２、図１１、図１２参照）の中点電圧が出力される。
【００２９】
充電制御マイコン１１５、２０７又は３０１は、充電中にバッテリーパック１の＋端子２の電圧（直列接続された２つのセル全体の電圧）と中点端子３の中点電圧に基づいて、各セル１４１，１４２の電圧を算出する。
【００３０】
そして、充電制御マイコン１１５、２０７、３０１は、セルの最大充電電圧がセルの過充電保護電圧値を超えないように、充電電圧を制御する。
【００３１】
このセルの過充電保護電圧値は、温度情報と対応付けて充電制御マイコン１１５、２０７又は３０１内のメモリに予め記憶されている。
【００３２】
［第１の実施の形態］
図２は、図１に示した充電装置６とバッテリーパック１の電気回路の構成を示すブロック図である。
【００３３】
なお図２では、本発明の説明に必要のない一般的な構成については、図示省略した。
【００３４】
図２に示した充電装置６の構成要素に付した符号は、次の要素を示している。
【００３５】
すなわち、１０２はＡＣ入力部、１０３は一次電源回路、１０４はトランス、１０５はフォトカプラ、１０６は二次平滑回路、１０７はレギュレータを示している。
【００３６】
１０８、１１１、１１２、１１６、１１８、１１９、１２０、１２１、１２２、１２３、１４０は抵抗器を示している。
【００３７】
１０９、１１０はオペアンプ、１１３はボリューム、１１４は急速充電スイッチを示している。
【００３８】
１１５は充電制御マイコン、１１７はトリクル充電スイッチ、１２４、１３８、１３９はスイッチを示している。
【００３９】
７は充電装置６の＋端子、８は充電装置６の中点端子、９は充電装置６の温度端子、１０は充電装置６の−端子を示している。
【００４０】
図２に示したバッテリーパック１の構成要素の符号は、次の要素を示している。
【００４１】
すなわち、２はバッテリーパック１の＋端子、３はバッテリーパック１の中点端子、４はバッテリーパック１の温度端子、５はバッテリーパック１の−端子を示している。
【００４２】
１３４は電池保護回路、１３５はサーミスタ、１３６は充電保護ＦＥＴ、１３７は放電保護ＦＥＴ、１４１、１４２はセルを示している。
【００４３】
ＡＣ入力部１０２にＡＣ電力が入力されると、そのＡＣ電力は、一次電源回路１０３を介してトランス１０４に供給される。
【００４４】
トランス１０４は、一次側の高電圧から二次側の低電圧に電圧変換すると共に、一次側と二次側のＧＮＤラインを分離する。
【００４５】
トランス１０４の二次側出力は、二次平滑回路１０６で整流されて後段の充電制御回路に出力される。
【００４６】
レギュレータ１０７は、二次平滑回路１０６からの出力電圧を、バッテリーパック１の各セル１４１、１４２の最大充電電圧の規格値（過充電保護電圧値）である４．２Ｖに変換して出力する。
【００４７】
このレギュレータ１０７からの４．２Ｖの電圧の電力は、バッテリーパック１のセル電圧を調整するための電力として利用される。
【００４８】
また、トランス１０４の二次側電圧は、電圧帰還用の抵抗器１１２と、充電電圧の最大値を調整するボリューム１１３によって分圧される。
【００４９】
このトランス１０４の二次側電圧は、充電制御マイコン１１５により、オペアンプ１０９、およびフォトカプラ１０５を介して制御される。
【００５０】
充電装置６の温度端子９には、レギュレータ１０７の出力電圧が抵抗器１１９を介して供給される。
【００５１】
バッテリーパック１のスイッチ１３８、１３９は、セル１４１とセル１４２の電圧の不均衡とセル１４２の過放電を防止するためのスイッチである。
【００５２】
バッテリーパック１の温度端子４に電圧が発生していない場合、すなわち充電装置６が接続されていないとき、スイッチ１３８、１３９はＯＦＦとなっている。
【００５３】
このとき、バッテリーパック１の中点端子３には、セル１４１とセル１４２の間の中点電圧は出力されない。
【００５４】
この状態でバッテリーパック１の中点端子３が＋端子２又は−端子５と短絡しても、セル１４１又はセル１４２からは放電されないため、セルの不均衡とセルの過放電を防止することが可能になる。
【００５５】
充電装置６にバッテリーパック１が接続されると、バッテリーパック１の温度端子４には、レギュレータ１０７の出力電圧を抵抗器１１９とサーミスタ１３５により分圧した電圧が発生する。
【００５６】
充電制御マイコン１１５は、抵抗器１１９とサーミスタ１３５により分圧された電圧を温度端子９を介して検出することにより、バッテリーパック１の装着を検出して、バッテリーパック１への充電制御を開始する。
【００５７】
バッテリーパック１のスイッチ１３８およびスイッチ１３９は、温度端子４に電圧が発生することによりＯＮする。スイッチ１３８、１３９がＯＮすることにより、セル１４１とセル１４２との間の中点電圧が、抵抗器１４０を介して中点端子３に出力される。
【００５８】
サーミスタ１３５の抵抗値は、バッテリーパック１の内部温度によって変化するので、サーミスタ１３５は、バッテリーパック１の内部温度を測定するセンサとして利用される。
【００５９】
充電装置６は、基本的には、サーミスタ１３５により測定されたバッテリーパック１の内部温度に基づいてバッテリーパック１を充電する際の充電電圧および充電電流を決定している。
【００６０】
この充電制御の詳細は後述する。
【００６１】
充電装置６の充電制御マイコン１１５は、温度端子９の電圧レベルにより、バッテリーパック１の装着および内部温度を検出する。
【００６２】
また、充電制御マイコン１１５は、抵抗器１２０および１２１を介して充電電圧を測定する。
【００６３】
充電制御マイコン１１５は、温度端子９の電圧によりバッテリーパック１の装着を検出した場合に、バッテリーパック１の充電電圧および中点端子３の中点電圧を測定する。
【００６４】
すなわち、充電制御マイコン１１５は、バッテリーパック電圧測定手段と中点電圧測定手段として機能する。
【００６５】
測定した中点電圧は、セル１４１、１４２の充電電圧を個別に算出するために利用される。
【００６６】
充電制御マイコン１１５は、バッテリーパック１の電圧が予め設定された規定値（Ｖａｄｊ）より低く、且つセル１４１とセル１４２との間の電位差が閾値（ＶＤ）より高い場合、すなわちセル間の電圧バランスが崩れた場合に、セル電圧調整を行う。
【００６７】
このセル電圧調整は、セル１４１とセル１４２との間の電位差を充電前に解消するものである。これにより、バッテリーパック１の充電を好適に行うことができる。
【００６８】
セル電圧調整は、バッテリーパック１の−極側のセル１４２を充放電することによって行う。
【００６９】
すなわち、セル１４２の電圧がセル１４１の電圧より高い場合は、スイッチ１２４をＯＮして抵抗器１４０および１２３を介して、中点端子８からセル１４２の放電を行う。
【００７０】
セル１４２の電圧がセル１４１の電圧より低い場合は、抵抗器１２２および１４０を介して、中点端子８からセル１４２の充電を行う。
【００７１】
本実施形態のセル電圧調整では、バッテリーパック１の＋極側のセル１４１に対しては充放電を行わない。
【００７２】
本実施形態のセル電圧調整に代えて、＋端子７と中点端子８との間に抵抗器およびスイッチ（図示省略）を設け、−極側のセル１４２の充電を行うと共に＋極側のセル１４１の放電を行うことにより、セル電圧調整の時間短縮を図ることも可能である。
【００７３】
セル電圧調整中に中点端子８から充放電を行っている状態では、抵抗器１４０により、セル１４１、１４２間の実際の中点電圧と中点端子８の測定電圧との間に電位差が生じる。
【００７４】
このため、中点端子８の電圧、すなわち中点電圧の測定は、セル電圧調整を一時的に休止して行い、その後、セル電圧調整を再開するようにしている。
【００７５】
なお、予め設定された周期毎に中点電圧の測定を行い、必要に応じて、電圧、温度環境等により測定周期を変更しても良い。
【００７６】
セル電圧調整は、セル１４１とセル１４２の間に電位差が予め設定された値以下になった場合、或いは規定時間を経過した場合に終了し、トリクル充電に移行する。
【００７７】
トリクル充電は、抵抗器１１６によって制限された充電電流をバッテリーパック１に供給することにより行う。
【００７８】
このトリクル充電は、バッテリーパック１の電圧が急速充電可能な電圧に満たない場合に行われ、急速充電可能な電圧に達した場合に終了する。
【００７９】
急速充電は、充電初期の段階では、バッテリーパック１に一定の充電電流を供給する定電流充電を行い、その後、バッテリーパック１に一定の充電電圧を供給する定電圧充電に移行する。
【００８０】
充電電流値は、抵抗器１１８を介して電圧レベルに変換される。
【００８１】
充電電流値の設定は、レギュレータ１０７の出力電圧を抵抗器１０８および１１１で分圧した分圧値で決定される。
【００８２】
充電電流値は、オペアンプ１１０とフォトカプラ１０５を介して制御される。
【００８３】
充電電流が流れることにより、充電装置６の＋端子７とバッテリーパック１の＋端子２の間の接触抵抗、充電装置６の−端子１０とバッテリーパック１の−端子５の間の接触抵抗に対して電位差が発生する。
【００８４】
また、セル１４１と＋端子２との間の回路抵抗、セル１４２と−端子５との間の回路抵抗、セル１４１とセル１４２との間の回路抵抗等の抵抗成分に対しても、充電電流が流れることによる電位差が発生する。
【００８５】
そこで、充電制御マイコン１１５は、バッテリーパック１の充電電圧と中点端子８の中点電圧に基づいて、セル１４１およびセル１４２の電圧を算出する際に、上述の電位差を補正する。
【００８６】
充電電流値が十分小さいときには、上述の電位差も僅かであるので、充電電流値が予め設定した値よりも小さい場合には、補正する必要がない。
【００８７】
充電制御マイコン１１５は、セルの適切な充電電圧値を内蔵のメモリ（図示省略）に記憶している。
【００８８】
この適切な充電電圧値は、過充電保護のための電圧値（過充電保護電圧値）であり、温度によって異なるものである。
【００８９】
本実施の形態では、メモリ容量を節約するために、小さな温度差の単位で多数の過充電保護電圧値を記憶するのではなく、表１のように５つの温度範囲毎に過充電保護電圧値を記憶している。
【００９０】
なお、充電制御マイコン１１５は、５つの温度範囲毎に充電電流値も変更する。
【００９１】
表１は充電制御マイコン１１５のメモリに記憶されている温度範囲−過充電保護電圧値テーブルおよび温度範囲−充電電流値テーブルである。
【００９２】
このテーブルは温度範囲毎に設定された過充電保護電圧値と充電電流値とを示している。
【００９３】
【表１】
2010055886.tif 000003
【００９４】
すなわち、充電制御マイコン１１５は、急速充電中のバッテリーパック１の内部温度を検出し、検出した内部温度に応じて、過充電保護電圧値と充電電流値を決定する。
【００９５】
充電中の充電制御マイコン１１５は、充電電圧の高い方のセルの充電電圧が、セルの過充電保護電圧値を超えないように、バッテリーパック１の充電電圧を制御する。
【００９６】
この充電電圧制御は、抵抗器１１２と充電電圧の最大値を調整するボリューム１１３の中点に、充電制御マイコン１１５の充電電圧調整出力から充電電圧調整用のＤＣ電圧を供給することによって行われる。
【００９７】
すなわち、充電電圧を上げる場合、充電制御マイコン１１５はオペアンプ１０９の−入力の電圧を下げ、充電電圧を下げる場合、充電制御マイコン１１５はオペアンプ１０９の−入力の電圧を上げる。
【００９８】
充電中の充電制御マイコン１１５は、バッテリーパック１の内部温度に応じて、充電電流値を変更する。
【００９９】
この充電電流値の変更は、抵抗器１０８と１１１の中点に、充電制御マイコン１１５の充電電流調整出力から急速充電電流調整用のＤＣ電圧を出力することによって行われる。
【０１００】
すなわち、充電電流を上げる場合、充電制御マイコン１１５はオペアンプ１１０の＋入力の電圧を上げ、充電電流を下げる場合、充電制御マイコン１１５はオペアンプ１１０の＋入力の電圧を下げる。
【０１０１】
本実施の形態では、充電電流および充電電圧を制御する方法として、充電制御マイコン１１５が直接ＤＣ電圧を出力する例を示した。
【０１０２】
これに代えて充電制御マイコン１１５がＰＷＭ出力を行い、平滑するための素子を用いてＤＣ電圧を作成しても良い。
【０１０３】
また、充電制御マイコン１１５がデジタルデータを出力し、Ｄ／Ａコンバータを介してＤＣ電圧を作成しても良い。
【０１０４】
さらに、図２に示したフォトカプラ１０５を直接的に制御する方法で、充電電圧および充電電流を制御することも可能である。
【０１０５】
このフォトカプラ１０５を直接的に制御する方法では、ＰＷＭ出力を平滑して作成しても、或いは、制御出力のデジタルデータをＤ／Ａコンバータを介して作成しても良い。
【０１０６】
充電制御マイコン１１５は、充電電流値を電圧レベルに変換する抵抗１１８の電位差を検出することにより充電電流を測定する。
【０１０７】
充電制御マイコン１１５は、急速充電中の充電電圧の上昇と充電電流の減少を検出し、その上昇および減少の程度により急速充電を完了するか否かを判定する。
【０１０８】
次に、第１の実施の形態での急速充電制御のフローの概要を、図３のフローチャートに基づいて説明する。
【０１０９】
充電制御マイコン１１５は、バッテリーパック１が装着されているかどうかを判断する（ステップＳ１）。
【０１１０】
具体的には、レギュレータ１０７の出力電圧を抵抗器１１９とサーミスタ１３５により分圧した電圧が温度端子９に発生するかどうかによって、バッテリーパック１の装着を判断している。
【０１１１】
バッテリーパック１が装着されている場合には、そのバッテリーパック１の温度、中点端子８の電圧（中点電圧）、バッテリーパック１の電圧（Ｖ７：＋端子７の充電電圧）を、順次検出する（ステップＳ２〜Ｓ４）。
【０１１２】
バッテリーパック１の電圧検出処理の詳細は、後述する。
【０１１３】
次に、充電制御マイコン１１５は、検出した中点端子８の中点電圧、バッテリーパック１の電圧に基づいて、セル１４１および１４２のセル電圧を算出する（ステップＳ５）。
【０１１４】
このセル電圧算出処理の詳細は、後述する。
【０１１５】
次に、充電制御マイコン１１５は、検出したバッテリーパック１の電圧（Ｖ７）が規定値（Ｖａｄｊ）より低いか否かを判別する（ステップＳ６）。
【０１１６】
その結果、バッテリーパック１の電圧（Ｖ７）が規定値（Ｖａｄｊ）より低ければ、充電制御マイコン１１５は、セル電圧調整を行う（ステップＳ７）。
【０１１７】
上記の第１の設定値（Ｖａｄｊ）は、バッテリーパック１が電源として使用される電子機器が動作可能な最低電圧に基づいて設定されている。このように第１の設定値（Ｖａｄｊ）を設定することで、放電末期のセル電圧を揃えるためにセル電圧調整を行うことができる。
【０１１８】
このように、放電末期のセル電圧を揃えるようにしたのは、セル電圧が高い状態でセル電圧を揃えると、放電末期でセル電圧の低下が急峻になり、電子機器の使用電圧範囲を上げる必要が生じて電子機器の使用可能時間が減少することになるからである。
【０１１９】
このセル電圧調整の詳細は後述する。
【０１２０】
バッテリーパック１の電圧（Ｖ７）が第１の設定値（Ｖａｄｊ）以上の場合には、充電制御マイコン１１５は、検出したバッテリーパック１の温度に基づいて、セル充電電圧設定値を決定する（ステップＳ８）。
【０１２１】
第１の設定値（Ｖａｄｊ）以上である場合にバッテリーパック１は充電が行われるので、本実施形態において、第１の設定値（Ｖａｄｊ）はバッテリーパック１への充電を開始する充電開始電圧となっている。
【０１２２】
このセル充電電圧設定値の決定処理の詳細は後述するが、本実施の形態では、前述の過充電保護電圧値をセル充電電圧値として決定している。
【０１２３】
次に、充電制御マイコン１１５は、検出したバッテリーパック１の温度に基づいて、充電電流値（Ｉｃｈｇ）を決定し、急速充電を開始する（ステップＳ９、Ｓ１０）。
【０１２４】
充電電流値の決定処理の詳細は後述する。
【０１２５】
充電制御マイコン１１５は、急速充電を開始すると、セル１４１、１４２の何れかのセル電圧（セル充電電圧）が、ステップＳ８で決定されたセル充電電圧の設定値、すなわち過充電保護電圧値に達したか否かを判別する（ステップＳ１１）。
【０１２６】
充電装置６は、セル１４１、１４２の何れも過充電保護電圧値に達していなければ、定電流制御を行う（ステップＳ１２）。
【０１２７】
この定電流制御処理の詳細は後述する。
【０１２８】
なお、ステップＳ７の調整処理でセル１４１、１４２のセル電圧の不均衡が解消されているので、セル１４１、１４２の充電電圧が上記の過充電保護電圧値に達するタイミングのズレは、小さくなっている。
【０１２９】
一方、セル１４１、１４２の何れかのセル充電電圧が過充電保護電圧に達した場合は、充電制御マイコン１１５は、その過充電保護電圧値を超えることなく維持するように、充電電圧の制御を行う。
【０１３０】
そして、充電制御マイコン１１５は、充電電流の低下によりセル１４１および１４２の充電量が所定値に達したか否かを判別し（ステップＳ１３）、充電量が所定値に達していなければステップＳ１に戻り、所定値に達していれば、本急速充電制御を終了する。
【０１３１】
次に、充電制御マイコン１１５の充電制御に対応するバッテリーパック１の動作を、図４のフローチャートに基づいて説明する。
【０１３２】
バッテリーパック１の温度端子４に電圧が供給されていない場合、スイッチ１３８、１３９はＯＦＦしている（ステップＳ１６）。
【０１３３】
充電装置６が温度端子４に電圧を供給する（ステップＳ１７）。
【０１３４】
この温度端子４への電圧供給により、充電制御マイコン１１５は、バッテリーパック１が充電装置６に装着されたことを検出する（図３のステップＳ１参照）。
【０１３５】
また、充電装置６が温度端子４に電圧を供給すると、バッテリーパック１の温度端子４には、前述のように電圧が発生し（ステップＳ１８）、充電制御マイコン１１５が図４のステップＳ２でバッテリーパック１の温度を検出可能となる。
【０１３６】
次に、温度端子４に電圧が供給されると、スイッチ１３８、１３９がＯＮして中点端子３に中点電圧が出力される（ステップＳ１９、Ｓ２０）。
【０１３７】
これにより、充電制御マイコン１１５は、図３のステップＳ３での中点電圧検出処理を行うことが可能となる。
【０１３８】
次に、図３のステップＳ２におけるバッテリーパック１の温度検出処理の詳細を、図５のフローチャートに基づいて詳細に説明する。
【０１３９】
この温度検出処理では、充電制御マイコン１１５は、先ず、温度端子９の電圧を測定する（ステップＳ２１）。
【０１４０】
そして、充電制御マイコン１１５は、その温度端子９の電圧に対応するバッテリーパック１の温度をメモリに登録された温度／電圧テーブルを参照する（ステップＳ２２）。
【０１４１】
次に、充電制御マイコン１１５は、参照した温度端子９の電圧に対応するサーミスタ１３５の温度を、バッテリーパック１の温度として判断し（ステップＳ２３）、図３のフローにリターンする。
【０１４２】
次に、図３のステップＳ５におけるセル電圧算出処理の詳細を、図６のフローチャートに基づいて詳細に説明する。
【０１４３】
このセル電圧算出処理では、充電制御マイコン１１５は、先ず、バッテリーパック１の電圧（Ｖ７）と中点端子８の電圧（Ｖ８）を参照する（ステップＳ５１、Ｓ５２）。
【０１４４】
そして、充電制御マイコン１１５は、セル１４２の−接点から−端子１０までの電位差Ｖｚ２を算出する（ステップＳ５３）。
【０１４５】
具体的には、充電制御マイコン１１５が充電電流値（Ｉｃｈｇ）を検出する。そして、充電制御マイコン１１５の内蔵メモリに記憶されているセル１４２の−接点から−端子１０までの抵抗成分の総和（Ｚ２）を読み出して、Ｖｚ２＝（Ｉｃｈｇ×Ｚ２）なる演算式により算出される。
【０１４６】
この電位差Ｖｚ２は、上記の演算式に示したように、ＧＮＤラインの抵抗成分と充電電流値により算出される。
【０１４７】
すなわち、電位差Ｖｚ２は、−端子１０と−端子５との間の接触抵抗、充電保護用のＦＥＴ１３６と放電保護用のＦＥＴ１３７のドレイン−ソース間抵抗Ｒｄｓ（ＯＮ）とパターン抵抗の総和（Ｚ２）に、充電電流値（Ｉｃｈｇ）を乗算して求められる。
【０１４８】
次に、充電制御マイコン１１５は、セル１４２の電圧（Ｖｃ１４２）を算出する（ステップＳ５４）。
【０１４９】
このセル１４２の電圧（Ｖｃ１４２）は、中点端子８の電圧（Ｖ８）から上記のセル１４２の−接点から―端子１０までの電位差Ｖｚ２を減算して求められる。
【０１５０】
次に、充電制御マイコン１１５は、セル１４１の＋接点から＋端子７までの電位差Ｖｚ１を算出する（ステップＳ５５）。
【０１５１】
具体的には、充電制御マイコン１１５が充電電流値（Ｉｃｈｇ）を検出する。そして、充電制御マイコン１１５の内蔵メモリに記憶されているセル１４１の＋接点から＋端子７までの抵抗成分の総和（Ｚ１）を読み出して、Ｖｚ１＝（Ｉｃｈｇ×Ｚ１）なる演算式により算出される。
【０１５２】
すなわち、この電位差Ｖｚ１は、＋端子７と＋端子２の間の接触抵抗とパターン抵抗の総和（Ｚ１）に充電電流値（Ｉｃｈｇ）を乗算して求められる。
【０１５３】
次に、充電制御マイコン１１５は、セル１４１の電圧（Ｖｃ１４１）を算出して（ステップＳ５６）、図３のフローにリターンする。
【０１５４】
このセル１４１の電圧（Ｖｃ１４１）は、＋端子７の電圧（Ｖ７）からＶｚ１、セル１４２の電圧（Ｖｃ１４２）およびＶｚ２を減算して求められる。
【０１５５】
次に、図３のステップＳ７におけるセル電圧調整の詳細を、図７のフローチャートに基づいて詳細に説明する。
【０１５６】
このセル電圧調整では、充電制御マイコン１１５は、先ず、タイマーをスタートさせ（ステップＳ７１）、タイマー時間（Ｔｍ）はカウントアップされていく。
【０１５７】
次に、セル１４１およびセル１４２への充放電を停止する（ステップＳ７２）。
【０１５８】
充放電を停止した後、バッテリーパック１の電圧（Ｖ７）と中点端子８の電圧（Ｖ８）を検出する（ステップＳ７３、ステップＳ７４）。
【０１５９】
ステップＳ７３、ステップＳ７４にて検出したバッテリーパック１の電圧（Ｖ７）および中点端子８の電圧（Ｖ８：中点電圧）から、セル１４１の電圧（Ｖｃ１４１）とセル１４２の電圧（Ｖｃ１４２）を算出する（ステップＳ７５）。
【０１６０】
ステップＳ７５で算出されるセル１４１の電圧（Ｖｃ１４１）とセル１４２の電圧（Ｖｃ１４２）はセル１４１、セル１４２への充放電を停止した状態での電圧である。したがって、ステップＳ７５で算出されるセル１４１の電圧（Ｖｃ１４１）とセル１４２の電圧（Ｖｃ１４２）はステップＳ５にて算出したル１４１の電圧（Ｖｃ１４１）とセル１４２の電圧（Ｖｃ１４２）とは一致しない。
【０１６１】
また、充放電を停止した状態でバッテリーパック１の電圧（Ｖ７）および中点端子８の中点電圧（Ｖ８）を検出しているので、図３のステップＳ５でのセル電圧算出とは異なり接触抵抗や回路抵抗による電位差は考慮しない。
【０１６２】
充電制御マイコン１１５は、セル１４１の電圧（Ｖｃ１４１）とセル１４２の電圧（Ｖｃ１４２）との差が閾値（ＶＤ）より小さいかどうかを判別する（ステップＳ７６）。
【０１６３】
セル１４１の電圧（Ｖｃ１４１）とセル１４２の電圧（Ｖｃ１４２）との差が閾値（ＶＤ）より小さい場合には、セル電圧調整を行わず図３のフローにリターンする。すなわち、セル１４１の電圧（Ｖｃ１４１）とセル１４２の電圧（Ｖｃ１４２）とがほぼ同じ電圧の場合には、セル電圧調整を行わず図３のフローにリターンする。
【０１６４】
一方、セル１４１の電圧（Ｖｃ１４１）とセル１４２の電圧（Ｖｃ１４２）との差が閾値（ＶＤ）以上である場合には、セル１４１の電圧（Ｖｃ１４１）とセル１４２の電圧（Ｖｃ１４２）とのうち、どちらの電圧が高いかを判断する（ステップＳ７７）。
【０１６５】
そして、充電制御マイコン１１５は、セル１４２の電圧（Ｖｃ１４２）の方がセル１４１の電圧（Ｖｃ１４１）より高い場合は、セル１４２を放電する（ステップＳ７８）。
【０１６６】
このセル１４２の放電は、スイッチ１２４をＯＮして抵抗器１２３および１４０を介して行う。
【０１６７】
一方、セル１４２の電圧（Ｖｃ１４２）の方がセル１４１の電圧（Ｖｃ１４１）より低い場合は、充電制御マイコン１１５は、セル１４２を充電する（ステップＳ７９）。
【０１６８】
このセル１４２の充電は、スイッチ１２４をＯＦＦしスイッチ１３９をＯＮして、抵抗器１２２および１４０を介して行う。
【０１６９】
充電制御マイコン１１５は、再度、セル１４１の電圧（Ｖｃ１４１）とセル１４２の電圧（Ｖｃ１４２）との差が閾値（ＶＤ）より小さいかどうかを判別する（ステップＳ８０−１）。
【０１７０】
セル１４１の電圧（Ｖｃ１４１）とセル１４２の電圧（Ｖｃ１４２）との差が閾値（ＶＤ）より小さい場合には、セル電圧調整を行わず、図３のフローにリターンする。すなわち、セル１４１の電圧（Ｖｃ１４１）とセル１４２の電圧（Ｖｃ１４２）とがほぼ同じ電圧の場合には、セル電圧調整を行わず、図３のフローにリターンする。
【０１７１】
一方、セル１４１の電圧（Ｖｃ１４１）とセル１４２の電圧（Ｖｃ１４２）との差が閾値（ＶＤ）以上である場合には、タイマー時間（Ｔｍ）が予め設定された限界時間（ＴＬ）以上となるかどうかを判断する（ステップＳ８０−２）。
【０１７２】
タイマー時間（Ｔｍ）が限界時間（ＴＬ）以上となった場合には、図３のフローにリターンする。
【０１７３】
タイマー時間（Ｔｍ）が限界時間（ＴＬ）となっていない場合には、ステップＳ７２に戻る。
【０１７４】
このようにして、セル１４１の電圧（Ｖｃ１４１）とセル１４２の電圧（Ｖｃ１４２）との差が閾値（ＶＤ）より小さくなるまでセル電圧調整は実行される。
【０１７５】
次に、図３のステップＳ８におけるセル充電電圧設定値の決定処理の詳細を、図８のフローチャートに基づいて詳細に説明する。
【０１７６】
このセル充電電圧設定値の決定処理では、充電制御マイコン１１５は、先ず、ステップＳ２で検出したバッテリーパック１の温度を参照する（ステップＳ８１）。
【０１７７】
そして、充電制御マイコン１１５は、当該充電制御マイコン１１５内のメモリに登録された温度範囲−過充電保護電圧値テーブルを参照する（ステップＳ８２）。
【０１７８】
このテーブルに登録された過充電保護電圧値は、温度範囲に対応する過充電保護のための上限電圧値である。
【０１７９】
次に、充電制御マイコン１１５は、この温度範囲に対応する過充電保護のための上限電圧値として登録された過充電保護電圧値を読出し、この過充電保護電圧値をセル充電電圧設定値として決定し（ステップＳ８３）、図３のフローにリターンする。
【０１８０】
次に、図３のステップＳ９における充電電流値の決定処理の詳細を、図９のフローチャートに基づいて詳細に説明する。
【０１８１】
この充電電流値の決定処理では、充電制御マイコン１１５は、先ず、ステップＳ２で検出したバッテリーパック１の温度を参照する（ステップＳ９１）。
【０１８２】
そして、充電制御マイコン１１５は、当該充電制御マイコン１１５内のメモリに登録された温度範囲−充電電流値テーブルを参照し、バッテリーパック１の充電電流値を決定し（ステップＳ９２）、図３のフローにリターンする。
【０１８３】
次に、図３のステップＳ１２における充電電圧制御処理の詳細を、図１０のフローチャートに基づいて詳細に説明する。
【０１８４】
この充電電圧制御処理では、充電制御マイコン１１５は、先ず、前述の算出したセル１４１の電圧（Ｖｃ１４１：セル充電電圧）とセル１４２の電圧（Ｖｃ１４２：セル充電電圧）を参照する（ステップＳ１２０１）。
【０１８５】
次に、充電制御マイコン１１５は、セル１４１の電圧（Ｖｃ１４１）がセル１４２の電圧（Ｖｃ１４２）よりも大きいかどうかを判定する（ステップＳ１２０２）。
【０１８６】
セル１４１の電圧（Ｖｃ１４１）がセル１４２の電圧（Ｖｃ１４２）よりも大きい場合には、セル１４１が過充電保護電圧値を超えないように充電電圧を制御する（ステップＳ１２０３）。
【０１８７】
一方、セル１４１の電圧（Ｖｃ１４１）がセル１４２の電圧（Ｖｃ１４２）よりも小さい場合には、セル１４２が過充電保護電圧値を超えないように充電電圧を制御し（ステップＳ１２０４）、図３のフローにリターンする。
【０１８８】
以上説明したように、充電制御マイコン１１５は、バッテリーパック１の温度に応じて過充電保護電圧値を決定し、中点端子３の中点電圧を検出して、充電中のバッテリーパック１の電圧と、各セル１のセル電圧を算出している。
【０１８９】
そして、充電制御マイコン１１５は、高い方のセル電圧（充電電圧）が過充電保護電圧値を超えないように、バッテリーパック１の充電電圧を制御している。
【０１９０】
すなわち、本実施の形態では、バッテリーパック１に中点端子３を設けるという安価な構成で、バッテリーパック１の過充電を防止することが可能となる。
【０１９１】
［第２の実施の形態］
図１１は、充電装置とバッテリーパックの第２の実施の形態に係る電気回路の構成を示すブロック図である。
【０１９２】
図１１では、第１の実施の形態に係る図２と共通する構成要素については、同一の符号を付している。
【０１９３】
ここでは、第２の実施の形態に特有な点を中心に説明する。
【０１９４】
図１１に示した２０１、２０３、２０５は抵抗器、２０２、２０４、２０６はスイッチ、２０７は充電制御マイコンである。
【０１９５】
充電電流の設定値は、レギュレータ１０７の出力電圧を抵抗器１０８および１１１で分圧した分圧値で設定される。
【０１９６】
第２の実施の形態では、充電電流の設定値を低減する手段（電流制御手段）として、上記の抵抗器１１１に並列に抵抗器２０１を接続し、この抵抗器２０１に直列にスイッチ２０２を接続している。
【０１９７】
このスイッチ２０２をＯＮすることにより、上記の分圧値が変更され、これにより充電電流の設定値が変更されることとなる。
【０１９８】
充電電圧の設定値、すなわち過充電保護電圧値は、抵抗器１１２とボリューム１１３で分圧された分圧値で設定される。
【０１９９】
第２の実施の形態では、充電電圧を第１の設定値に変更する手段として、ボリューム１１３に並列に抵抗器２０３を接続し、この抵抗器２０３に直列にスイッチ２０４を接続している。
【０２００】
このスイッチ２０４をＯＮすることにより、上記の分圧値が変更され、これにより過充電保護電圧値が変更されることとなる。
【０２０１】
同様に、第２の実施の形態では、充電電圧を第２の設定値（過充電保護電圧値）に変更する手段として、ボリューム１１３に並列に、抵抗器２０３とは異なる抵抗値の抵抗器２０５とスイッチ２０６を接続している。
【０２０２】
このスイッチ２０６をＯＮすることにより、上記の分圧値が変更され、これにより過充電保護電圧値が変更されることとなる。
【０２０３】
なお、上記の構成では、スイッチ２０４および２０６を同時にＯＮすることにより、充電電圧を第３の設定値に変更できる。
【０２０４】
第２の実施の形態では、充電電流を変更する手段として、抵抗器１１１に並列に抵抗器２０１とスイッチ２０２を接続している。
【０２０５】
さらに、上記のような抵抗器とスイッチをより多く設けることにより、より精細に充電電圧（過充電保護電圧値）および充電電流を変更することが可能になる。
【０２０６】
［第３の実施の形態］
図１２は、バッテリーパックの第３の実施の形態に係る電気回路の構成を示すブロック図である。
【０２０７】
３０１はバッテリーパック、３０２はバッテリーパックの＋端子、３０３はバッテリーパックの中点２端子、３０４はバッテリーパックの中点１端子である。３０５はバッテリーパックの温度端子、３０６はバッテリーパックの−端子である。３０７および３０８はスイッチ（ＦＥＴ）、３０９は抵抗器、３１０、３１１および３１２はセル、３１３は制御部、３１４はサーミスタである。３１５はセル３１１とセル３１２間の接続部、３１６はセル３１０とセル３１１間の接続部である。スイッチ３０７、３０８は内部入力スイッチとして機能する。
【０２０８】
制御部３１３は温度端子３０５がＬレベルの場合に、スイッチ３０７への出力を遮断している。スイッチ３０７は制御部３１３が遮断している場合、抵抗器３０９でゲート電圧がＨレベルであるため、中点１端子３０４と接続部３１５は遮断される。
【０２０９】
同様に、スイッチ３０８は制御部３１３が遮断している場合、抵抗器３０９でゲート電圧がＨレベルであるため、中点２端子３０３と接続部３１６は遮断される。
【０２１０】
不図示の充電装置または電子機器から温度端子３０５に電圧が加えられると、制御部３１３の出力がＬレベルになり、スイッチ３０７およびスイッチ３０８が導通する。そして、中点１端子３０４と接続部３１５が導通される。
【０２１１】
同様に、中点２端子３０３と接続部３１６が導通される。制御部３１３は電圧検出が可能なものであればよい。例えばマイコンでも良いし、電圧検出ＩＣでも良い。
【０２１２】
［第４の実施の形態］
図１３は、バッテリーパックの第４の実施の形態に係る電気回路の構成を示すブロック図である。
【０２１３】
４０１はバッテリーパック、４０２はバッテリーパックの＋端子、４０３はバッテリーパックの中点端子である。４０４はバッテリーパックの入力端子、４０５はバッテリーパックの−端子、４０６および４１０はスイッチ（ＦＥＴ）、４０７は抵抗器、４０８および４０９はセル、４１１はセル４０８とセル４０９間の接続部である。スイッチ４０６は内部入力スイッチとして機能する。
【０２１４】
スイッチ４１０は入力端子４０４がＬレベルの場合に遮断している。スイッチ４０６はスイッチ４１０が遮断している場合、抵抗器４０７でゲート電圧がＨレベルであるため、中点端子４０３と接続部４１１は遮断される。スイッチ４１０は外部入力スイッチとして機能する。
【０２１５】
不図示の充電装置または電子機器から入力端子４０４に電圧が加えられると、スイッチ４１０が導通し、更にスイッチ４０６が導通する。そして、中点端子４０３と接続部４１１が導通される。
【０２１６】
［第５の実施の形態］
図１４は、バッテリーパックの第５の実施の形態に係る電気回路の構成を示すブロック図である。図１４において、第３の実施の形態の図１２と共通する構成については、同一の符号を付して説明を省略する。
【０２１７】
５０１は入力端子、５０２はスイッチである。スイッチ５０２は入力端子５０１がＬレベルの場合に遮断している。スイッチ３０７はスイッチ５０２が遮断している場合、抵抗器３０９でゲート電圧がＨレベルであるため、中点１端子３０４と接続部３１５は遮断される。
【０２１８】
同様に、スイッチ３０８はスイッチ５０２が遮断している場合、抵抗器３０９でゲート電圧がＨレベルであるため、中点２端子３０３と接続部３１６は遮断される。
【０２１９】
不図示の充電装置または電子機器から入力端子５０１に電圧が加えられると、スイッチ５０２が導通し、スイッチ３０７およびスイッチ３０８が導通する。そして、中点１端子３０４と接続部３１５が導通される。同様に、中点２端子３０３と接続部３１６が導通される。
【０２２０】
［第６の実施の形態］
図１５は、バッテリーパックの第６の実施の形態に係る電気回路の構成を示すブロック図である。
【０２２１】
図１５において、第４の実施の形態の図１３と共通する構成については、同一の符号を付して説明を省略する。
【０２２２】
スイッチ４０６は、入力端子４０４がＨレベル又は開放状態の場合、抵抗器４０７でゲート電圧がＨレベルであるために遮断している。よって、中点端子４０３と接続部４１１は遮断される。
【０２２３】
図示はしないが、電子機器にトランジスタ、マイコンの出力端子等により入力端子４０４をＬレベルにする構成を設ける。
【０２２４】
不図示の充電装置または電子機器が入力端子４０４をＬレベルにすると、スイッチ４０６が導通する。そして、中点端子４０３と接続部４１１が導通される。
【０２２５】
［第７の実施の形態］
図１６は、バッテリーパックの第７の実施の形態に係る電気回路の構成を示すブロック図である。第５の実施の形態の図１４と共通する構成については、同一の符号を付して説明を省略する。
【０２２６】
スイッチ３０７は、入力端子５０１がＨレベル又は開放状態の場合、抵抗器３０９でゲート電圧がＨレベルであるために遮断している。よって、中点１端子３０４と接続部３１５は遮断される。
【０２２７】
同様に、スイッチ３０８は、入力端子５０１がＨレベル又は開放状態の場合、抵抗器３０９でゲート電圧がＨレベルであるために遮断している。よって、中点２端子３０３と接続部３１６は遮断される。
【０２２８】
図示はしないが、電子機器にトランジスタ、マイコンの出力端子等により入力端子５０１をＬレベルにする構成を設ける。
【０２２９】
不図示の充電装置または電子機器が入力端子５０１をＬレベルにすると、スイッチ３０７が導通する。そして、中点１端子３０４と接続部３１５が導通される。
【０２３０】
同様にスイッチ３０８が導通し、中点２端子３０３と接続部３１６が導通される。
【０２３１】
［第８の実施の形態］
図１７は、バッテリーパックの第８の実施の形態に係る電気回路の構成を示すブロック図である。第３の実施の形態の図１２と共通する構成については、同一の符号を付して説明を省略する。
【０２３２】
６０１、６０４、６０７、６０８はスイッチである。６０２、６０５は抵抗器、６０３、６０６はダイオードである。スイッチ６０１、６０４は内部入力スイッチとして機能する。スイッチ６０７、６０８は外部入力スイッチとして機能する。
【０２３３】
第８の実施の形態では、中点１端子３０４、中点２端子３０３に、外部から電圧が供給された場合においても、セル間の電位差を生じることがないように、中点１端子３０４、中点２端子３０３からの充電を防止している。
【０２３４】
スイッチ６０７は温度端子３０５がＬレベルの場合に遮断している。スイッチ６０１はスイッチ６０７が遮断している場合、抵抗器６０２でゲート電圧が中点１端子３０４と同電位であり、中点１端子３０４からの充電電流は遮断される。
【０２３５】
同様に、スイッチ６０４はスイッチ６０７が遮断している場合、抵抗器６０５でゲート電圧が中点２端子３０３と同電位であり、中点２端子３０３からの充電電流は遮断される。
【０２３６】
不図示の充電装置または電子機器から温度端子３０５に電圧が加えられると、スイッチ６０７が導通し、ダイオード６０３を介してスイッチ６０１が導通する。そして、中点１端子３０４と接続部３１５が導通される。
【０２３７】
同様に、ダイオード６０６を介してスイッチ６０４が導通する。そして、中点２端子３０３と接続部３１６が導通される。
【０２３８】
スイッチ６０８の動作説明は、第５の実施の形態のスイッチ５０２と略同様なので省略する。第８の実施の形態では、第３の実施の形態を基に、中点端子からの充電防止回路を構成した。
【０２３９】
その他の実施例でも同様に、第８の実施の形態の充電防止回路を構成することが可能である。
【図面の簡単な説明】
【０２４０】
【図１】本発明の第１または第２の実施の形態に係る充電装置の外観図である。
【図２】図１に示した充電装置とバッテリーパックの電気回路の構成を示すブロック図である（第１の実施の形態）。
【図３】上記の充電装置における急速充電制御のフローの概要を示すフローチャートである。
【図４】上記のバッテリーパックの急速充電中の動作を示すフローチャートである。
【図５】図３のステップＳ２におけるバッテリーパック温度検出処理の詳細を示すフローチャートである。
【図６】図３のステップＳ５におけるセル電圧算出処理の詳細を示すフローチャートである。
【図７】図３のステップＳ７におけるセル電圧調整の詳細を示すフローチャートである。
【図８】図３のステップＳ８におけるセル充電電圧設定値の決定処理の詳細を示すフローチャートである。
【図９】図３のステップＳ９における充電電流値の決定処理の詳細を示すフローチャートである。
【図１０】図３のステップＳ１２における充電電圧制御処理の詳細を示すフローチャートである。
【図１１】図１に示した充電装置とバッテリーパックの電気回路の構成を示すブロック図である（第２の実施の形態）。
【図１２】バッテリーパックの電気回路の構成を示すブロック図である（第３の実施の形態）。
【図１３】バッテリーパックの電気回路の構成を示すブロック図である（第４の実施の形態）。
【図１４】バッテリーパックの電気回路の構成を示すブロック図である（第５の実施の形態）。
【図１５】バッテリーパックの電気回路の構成を示すブロック図である（第６の実施の形態）。
【図１６】バッテリーパックの電気回路の構成を示すブロック図である（第７の実施の形態）。
【図１７】バッテリーパックの電気回路の構成を示すブロック図である（第８の実施の形態）。
【符号の説明】
【０２４１】
１，１２９，３０１，４０１  バッテリーパック
２，１３０，３０２，４０２  バッテリーパックの＋端子
３，１３１，４０３  バッテリーパックの中点端子
４，１３２，３０５  バッテリーパックの温度端子
５，１３３，３０６，４０５  バッテリーパックの−端子
６，１０１  充電装置
７，１２５  充電装置の＋端子
８，１２６  充電装置の中点端子
９，１２７  充電装置の温度端子
１０，１２８  充電装置の−端子
１０２  ＡＣ入力
１０３  一次電源回路
１０４  トランス
１０５  フォトカプラ
１０６  二次平滑回路
１０７  レギュレータ
１０９，１１０  オペアンプ
１１３  ボリューム
１１４  急速充電スイッチ
１１５，２０７  充電制御マイコン
１１７  トリクル充電スイッチ
１３４  電池保護回路
１３５，３１４  サーミスタ
１３６  充電保護ＦＥＴ
１３７  放電保護ＦＥＴ
１４１，１４２，３１０，３１１，３１２，４０８，４０９  セル
３０３  中点２端子
３０４  中点１端子
３１３  制御部
３１５  セル３１１とセル３１２間の接続部
３１６  セル３１０とセル３１１間の接続部
４０４，５０１  バッテリーパックの入力端子
４１１  セル４０８とセル４０９間の接続部
【図１】
2010055886.tif 000004
【図２】
2010055886.tif 000005
【図３】
2010055886.tif 000006
【図４】
2010055886.tif 000007
【図５】
2010055886.tif 000008
【図６】
2010055886.tif 000009
【図７】
2010055886.tif 000010
【図８】
2010055886.tif 000011
【図９】
2010055886.tif 000012
【図１０】
2010055886.tif 000013
【図１１】
2010055886.tif 000014
【図１２】
2010055886.tif 000015
【図１３】
2010055886.tif 000016
【図１４】
2010055886.tif 000017
【図１５】
2010055886.tif 000018
【図１６】
2010055886.tif 000019
【図１７】
2010055886.tif 000020